(57)【要約】【課題】アクティブマトリクス型表示装置において、ドット反転駆動を行うとともに、その消費電力を低減する。【解決手段】  駆動ＬＳＩ２０の第１の出力バッファ２２から第１のビデオ信号電圧Ｖが出力され、第２の出力バッファ２３からは、第１のビデオ信号電圧Ｖと逆極性の第２のビデオ信号電圧＊Ｖが出力される。第１及び第２のビデオ信号Ｖ，＊Ｖは、一対の信号配線を通して表示パネル２のドレインドライバ２に供給される。ドレインドライバ２は、ドレインライン５及びＴＦＴ９を通して、ある画素に第１のビデオ信号電圧Ｖを供給し、その画素と隣接する画素に逆極性の第２のビデオ信号電圧＊Ｖを印加する。こうして、上下左右隣り合う画素全てに逆の極性のビデオ信号電圧が供給される。【選択図】  図１
2005257929.tif 000002
【特許請求の範囲】
【請求項１】
マトリクスに配列された複数の画素と、所定の共通電位に対して第１の極性と第２の極性を有した複数相のビデオ信号を出力する信号処理回路と、互いに隣接する第１の画素と第２の画素に対して、それぞれ前記第１の極性を有したビデオ信号と前記第２の極性を有したビデオ信号を供給するように制御するドライバ回路と、を備え、前記複数のビデオ信号のダイナミックレンジが前記第１の極性を有したビデオ信号及び前記第２の極性を有したビデオ信号のダイナミックレンジのそれぞれの和より小さいことを特徴とするアクティブマトリクス型表示装置。
【請求項２】
前記複数のビデオ信号のダイナミックレンジが第１の極性を有したビデオ信号及び前記第２の極性を有したビデオ信号のダイナミックレンジと等しいことを特徴とする請求項１に記載のアクティブマトリクス型表示装置。
【請求項３】
複数相のビデオ信号が偶数相のビデオ信号であることを特徴とする請求項１又は請求項２に記載のアクティブマトリクス型表示装置。
【請求項４】
前記複数の画素毎にそれぞれ配置された複数の画素電極と、前記複数の画素毎にそれぞれ配置された補助容量電極と、各行の前記画素電極に対応して配置され、所定の周期でその電位が変化する第１及び第２の補助容量ラインと、前記第１または第２の補助容量ラインのいずれかと前記補助容量電極とが対向してなる第１及び第２の補助容量とを備えることを特徴とする請求項１、２、３のいずれか１項に記載のアクティブマトリクス型表示装置。
【請求項５】
前記共通電位が直流電位であることを特徴とする請求項１、２、３、４のいずれか１項に記載のアクティブマトリクス型表示装置。
【発明の詳細な説明】
【技術分野】
【０００１】
本発明は、アクティブマトリクス型表示装置に関する。
【背景技術】
【０００２】
独立した画素電極に薄膜トランジスタ（ＴＦＴ：Thin Film Transistor）のようなスイッチング素子を介してそれぞれの映像信号を供給するアクティブマトリクス型表示装置において、対向電極及び補助容量に交流電位を与える対極ＡＣ駆動を行うことにより、液晶の劣化を防止すると同時に、ドレインドライバに入力されるビデオ信号の正・負極性間の電位差を小さくし、ドレインドライバの電流及び電圧を下げることで低消費電力を実現していた。かかる対極ＡＣ駆動の中、１水平期間ごとに各ドレインラインに与えるビデオ信号極性を反転する、いわゆるライン反転駆動方式では、１水平期間ごとに、対向電極及び全補助容量ラインの電圧の極性を反転させている。
【０００３】
一方、対向電極電位ＶｃｏｍをＤＣ電位とし、ゲートライン方向に隣り合う画素電極に対して極性が異なるビデオ信号を印加し、上下左右隣り合う画素全てに逆の極性の電圧を印加する対極ＤＣドット反転駆動方式が特許文献１に開示されている。
【特許文献１】特開２００３−１５０１２７号公報
【発明の開示】
【発明が解決しようとする課題】
【０００４】
しかしながら、上述のライン反転駆動方式では、ラインフリッカーが生じやすく表示品位が低いという問題を有していた。一方、上述の対極ＤＣドット反転駆動方式によれば、ラインフリッカーが生じないため表示品位を向上できるが、その反面、図１２に示す如くビデオ信号Ｖ，＊Ｖ（＊ＶはＶの極性反転信号）のダイナミックレンジが広いため、消費電力が大きいという問題があった。
【課題を解決するための手段】
【０００５】
そこで本発明のアクティブマトリクス型表示装置は、マトリクスに配列された複数の画素と、所定の共通電位に対して第１の極性と第２の極性を有した複数相のビデオ信号を出力する信号処理回路と、互いに隣接する第１の画素と第２の画素に対して、それぞれ前記第１の極性を有したビデオ信号と前記第２の極性を有したビデオ信号を供給するように制御するドライバ回路と、を備え、前記複数のビデオ信号のダイナミックレンジが前記第１の極性を有したビデオ信号及び前記第２の極性を有したビデオ信号のダイナミックレンジのそれぞれの和より小さいことを特徴とするものである。
【発明の効果】
【０００６】
本発明のアクティブマトリクス型表示装置によれば、ドット反転駆動において、複数相のビデオ信号を生成して、互いに隣接する画素に対して、互いに逆極性のビデオ信号を供給するようにしたので、ビデオ信号を単相で駆動する場合に比して、各ビデオ信号の反転駆動周期を１水平期間に延ばすことができ、これによりビデオ信号の反転駆動回路側の消費電力を低減することができる。また、複数相のビデオ信号のダイナミックレンジを狭くしたことにより、さらにその消費電力を低減することができる。
【発明を実施するための最良の形態】
【０００７】
次に、本発明の第１の実施形態にかかるアクティブマトリクス型表示装置について図面を参照しながら説明する。図１は、このアクティブマトリクス型表示装置のブロック回路図であり、図２は、このアクティブマトリクス型表示装置における表示パネルの画素領域の模式図、図３はこのアクティブマトリクス型表示装置における表示パネルの画素領域のパターン図であり、図４はその等価回路図である。
【０００８】
図１に示す如く、表示パネル１と、この表示パネル１に各種の駆動信号を供給する駆動ＬＳＩ２０が設けられている。まず、表示パネル１の構成について説明する。
【０００９】
表示パネル１には、行方向にドレインドライバ２が配置され、列方向にはゲートドライバ３が配置されている。そして、ドレインドライバ２及びゲートドライバ３に囲まれるように、映像表示を行う表示領域４が配置されている。そして、表示領域４には、図３及び図４に示されるように、列方向には、ドレインライン５と、列方向に長い長方形の画素電極６が複数配置され、行方向には、ゲートライン７と、第１の補助容量ライン８ａ及び第２の補助容量ライン８ｂが配置されている。
【００１０】
各画素電極６が配置される領域（以下、「画素」と称する。）には、ＴＦＴ９と、第１の補助容量１０ａもしくは第２の補助容量１０ｂのいずれかが配置されている。即ち、第１の画素ＧＳ１には第１の補助容量１０ａが配置され、第１の画素ＧＳ１に隣接する第２の画素ＧＳ２には第２の補助容量１０ｂが配置されている。第１の画素ＧＳ１と第２の画素ＧＳ２は行方向に交互に配列されている。
【００１１】
ＴＦＴ９は、ゲートライン７から延びて形成されたゲート電極９ｇと、ドレインライン５とコンタクトを介して電気的に接続された半導体層のドレイン領域９ｄと、画素電極６とコンタクトを介して電気的に接続された半導体層のソース領域９ｓとで構成されている。第１の補助容量１０ａは、ＴＦＴ(thin film transistor)９に接続された半導体層よりなる補助容量電極１０ｘと、第１の補助容量ライン８ａから補助容量電極１０ｘ上に容量絶縁層を介して重なるように延びて形成された補助容量電極１０ｙで形成されている。第２の補助容量１０ｂは、上記の補助容量電極１０ｘと、第２の補助容量ライン８ｂから補助容量電極１０ｘ上に容量絶縁層を介して重なるように延びて形成された補助容量電極１０ｚで形成されている。
【００１２】
なお、第１の画素ＧＳ１において、補助容量電極１０ｘと第２の補助容量ライン８ｂとの間には第１の寄生容量１５ａが形成され、第２の画素ＧＳ２において、補助容量電極１０ｘと第１の補助容量ライン８ａとの間には第２の寄生容量１５ｂが形成される。またＴＦＴ９が設けられた基板とこれに対向する反対側の基板の間に液晶が封入され、この反対側の基板に対向電極１１が設けられ、液晶容量１２の画素電極６に対応する補助容量電極を構成している。
【００１３】
ドレインドライバ２は、図１に示す如く、互いに逆の極性を持つ第１のビデオ信号電圧Ｖ及び第２のビデオ信号電圧＊Ｖが、後述する表示パネル１の外部に設けられた駆動ＬＳＩ２０から入力され、ドレインライン５を順次選択して第１のビデオ信号電圧Ｖもしくは第２のビデオ信号電圧＊Ｖのいずれかを印加していく。第１のビデオ信号電圧Ｖ及び第２のビデオ信号電圧＊Ｖは、対向電極１１の電位（以下、対向電極電圧Ｖｃｏｍと称する）を基準として、互いに逆極性の電圧である。
【００１４】
即ち、図２に示す如く、ドレインドライバ２は、ドレインライン５及びＴＦＴ９を通して、ある画素の画素電極６に対して第１のビデオ信号電圧Ｖ（図２において「＋」の記号で示される）を供給し、その画素と隣接する画素の画素電極６に対して、逆極性の第２のビデオ信号電圧＊Ｖ（図２において「−」の記号で示される）を印加する。こうして、上下左右隣り合う画素全てに逆の極性のビデオ信号電圧が供給される。
【００１５】
ゲートドライバ３は、ゲートライン７を順次選択して、ゲート信号ＧＶを印加する。表示領域４は、複数の画素電極６を有し、映像表示を行う領域である。ドレインライン５は、互いに逆の極性を持つ第１のビデオ信号電圧Ｖもしくは第２のビデオ信号電圧＊Ｖのいずれかを、コンタクトを介してＴＦＴ９に伝達する配線である。画素電極６は、表示単位である画素領域を構成し、対向電極１１と共に、ドレインライン５からＴＦＴ９を介して伝達されたビデオ信号電圧Ｖ，＊Ｖによって液晶を駆動する電極である。  
【００１６】
ゲートライン７は、ゲートドライバ３によって選択され、ゲート信号ＧＶが印加されると、接続されているＴＦＴ９をオンする。第１の補助容量ライン８ａは、ゲートライン７と同じ層に、行方向に並ぶ補助容量電極１０ｙに一体化して形成され、各行の第１の補助容量を互いに連結している。第２の補助容量ライン８ｂは、ゲートライン７と同じ層に、行方向に並ぶ補助容量電極１０ｚに一体化して、各行の第２の補助容量を互いに連結している。
【００１７】
第１の補助容量ライン８ａ及び第２の補助容量ライン８ｂには、ＳＣドライバ１６から後述するように所定のタイミングでその極性が反転する互いに逆極性の高電位ＳＣＨ，低電位ＳＣＬが印加される。ここで、ＳＣドライバ１６はシフトレジスタと信号供給回路から構成される。
【００１８】
ＴＦＴ９は、ゲート電極９ｇに電圧が印加されたときにだけ、ソース領域９ｓからドレイン領域９ｄへの方向もしくはドレイン領域９ｄからソース領域９ｓへの方向のいずれかに、ゲート電極９ｇの直下にある半導体層のチャネル領域中を電流が流れるスイッチング素子である。第１の補助容量１０ａ及び第２の補助容量１０ｂは、ドレインライン５からＴＦＴ９を介して供給されたビデオ信号電圧Ｖ，＊Ｖによる電荷を１フレーム期間保持し、液晶容量１２の電荷の損失を補う。対向電極１１には、一定の対向電極電位Ｖｃｏｍが印加され、画素電極６に印加されたビデオ信号電圧Ｖ，＊Ｖに応じて画素電極６と共に液晶を駆動する。液晶容量１２の電荷とは、液晶が保持しているドレインライン５からＴＦＴ９を介して供給されたビデオ信号電圧Ｖ，＊Ｖによる電荷である。
【００１９】
しかし、液晶容量１２が保持する電荷は、ＴＦＴ９のオフ動作時によるリークや液晶中の不純物からのリークによって流出しやすいため、第１の補助容量１０ａ及び第２の補助容量１０ｂの保持する電荷によって電荷を補っている。
【００２０】
次に、表示パネル１の外部に設けられた駆動ＬＳＩ２０の構成について説明する。外部から入力されるアナログビデオ信号は、極性切換スイッチ２１を通して、第１のビデオ信号電圧Ｖと逆極性の第２のビデオ信号電圧＊Ｖが生成される。これらの第１のビデオ信号電圧Ｖと逆極性の第２のビデオ信号電圧＊Ｖは、１水平期間毎に極性が反転する。
【００２１】
そして、第１のビデオ信号電圧Ｖは第１の出力バッファ２２を通して、第２のビデオ信号電圧＊Ｖは第２の出力バッファ２３を通して、一対の信号配線に出力され、表示パネル２のドレインドライバ２に供給される。
【００２２】
また、２４は高電位ＳＣＨ発生用の電位発生源であり、その高電位ＳＣＨは出力バッファ２５を通して出力される。２６は低電位ＳＣＬ発生用の電位発生源であり、その低電位ＳＣＬは出力バッファ２７を通して出力される。これらの高電位ＳＣＨ及び低電位ＳＣＬはＳＣドライバ１６に供給される。
【００２３】
２８は対向電極電位Ｖｃｏｍ発生用の電位発生源であり、その電位は出力バッファ２９を通して出力される。第１及び第２の出力バッファ２５，２７からそれぞれ出力される高電位ＳＣＨ，低電位ＳＣＬは出力バッファ２９から出力される対向電極電位Ｖｃｏｍに対して互いに逆極性を有している。これらの高電位ＳＣＨ、低電位ＳＣＬ及び対向電極電位Ｖｃｏｍはいずれも直流電位であるため、駆動ＬＳＩ２０の消費電力が低減される。
【００２４】
さらに、駆動ＬＳＩ２０は、水平スタート信号ＳＴＨ、水平クロックＣＫＨ、垂直スタート信号ＳＴＶ、垂直クロックＣＫＶ、ＳＣドライバ制御クロックＣＫＶＳＣ等の各種の制御クロックを生成し、表示パネル１に供給する。
【００２５】
上述したアクティブマトリクス型表示装置では、駆動用ＬＳＩ２０にアナログビデオ信号が入力されているが、その代わりに、デジタルビデオ信号を入力し、これをアナログビデオ信号に変換するようにしてもよい。図５は、そのようなアクティブマトリクス型表示装置のブロック回路図である。外部から入力されるデジタルビデオ信号は反転処理回路６１によって、１水平期間毎に極性が反転する一対のデジタルビデオ信号となるように信号処理がなされる。これらの一対のデジタルビデオ信号は、それぞれＤＡ変換器（デジタル・アナログ変換器）６２，６３に入力され、アナログビデオ信号である第１のビデオ信号電圧Ｖと逆極性の第２のビデオ信号電圧＊Ｖに変換される。
【００２６】
そして、第１のビデオ信号電圧Ｖは第１の出力バッファ２２を通して、第２のビデオ信号電圧＊Ｖは、第２の出力バッファ２３を通して、一対の信号配線に出力され、表示パネル１のドレインドライバ２に供給される。その他の構成については図１のアクティブマトリクス型表示装置と同じである。
【００２７】
次に、上述したアクティブマトリクス型表示装置の駆動方法について説明する。図６は表示パネルにおける各信号の関連を示すタイミングチャートである。これは、垂直スタート信号ＳＴＶ及びゲート信号ＧＶ、水平スタート信号ＳＴＨ及び水平クロック信号ＣＫＨと、第１の補助容量ライン８ａの電位ＳＣａ及び第２の補助容量ライン８ｂの電位ＳＣｂにおける電圧変化のタイミングを示している。
【００２８】
まず、垂直スタート信号ＳＴＶのパルスが立ち上がった後に、ゲート信号ＧＶ１のパルスが立ち上がり、１行目のゲートライン７にゲート信号ＧＶ１が供給されてこれに接続されたＴＦＴ９がオンになる。それから、水平スタート信号ＳＴＨのパルスが立ち上がり、１行目のゲートライン７にゲート信号ＧＶ１が供給されている期間中に、水平クロック信号ＣＫＨのパルスに同期して、ドレインドライバ２によってドレインライン５が順次選択され、順次第１及び第２のビデオ信号電圧Ｖ，＊Ｖが、ＴＦＴ９を介して画素電極６と、第１の補助容量１０ａ及び第２の補助容量１０ｂに印加されていく。
【００２９】
第１のビデオ信号電圧Ｖは、第１の画素ＧＳ１の画素電極６、第１の補助容量１０ａ及び第１の寄生容量１５ａに、第２のビデオ信号電圧＊Ｖは、第２の画素ＧＳ２の画素電極６、第２の補助容量１０ｂ及び第２の寄生容量１５ｂに印加される。
【００３０】
そして、全てのドレインライン５にビデオ信号電圧Ｖ，＊Ｖが印加されると、１行目のゲートライン７にゲート信号ＧＶ１が供給されなくなり、これに接続されるＴＦＴ９はオフとなる。そして、順次ゲート信号ＧＶ２、ゲート信号ＧＶ３のパルスが立ち上がり、２行目のゲートライン７にはゲート信号ＧＶ２、３行目のゲートライン７にはゲート信号ＧＶ３、というように、それぞれ印加され、上記の動作を繰り返す。
【００３１】
ゲートライン７に接続されたＴＦＴ９がオフ状態、即ち、ゲートライン７にゲート信号ＧＶが供給されていない期間中、即ち、ゲート信号ＧＶ１が立ち下がり後であって、ゲート信号ＧＶ２が立ち上がる前の期間中に、第１の補助容量ライン８ａの電位ＳＣａと、第２の補助容量ライン８ｂの電位ＳＣｂの極性が反転する。即ち、ＳＣドライバ１６によって、第１の補助容量ライン８ａの電位ＳＣａは、高電位ＳＣＨから低電位ＳＣＬに変化し、第２の補助容量ライン８ｂの電位ＳＣｂは、逆に、低電位ＳＣＬから高電位ＳＣＨに変化するように制御される。第１の補助容量ライン８ａの電位ＳＣａと第２の補助容量ライン８ｂの電位ＳＣｂの極性反転は、各行毎に１フレーム周期で行われる。
【００３２】
そして、この補助容量ラインの電位変化ΔＶｓｃに伴って、画素電極の電位（以下、画素電位Ｖｐと称する）が第１の補助容量１０ａ及び第１の寄生容量１５ａ、第２の補助容量１０ｂ及び第２の寄生容量１５ｂの画素電極６への容量結合により正電位方向もしくは負電位方向に変化してドット反転駆動を行われる。そして、全てのゲートライン７にゲート信号ＧＶが供給されると、再び垂直スタート信号ＳＴＶのパルスが立ち上がり、それに同期して１行目のゲートライン７にゲート信号ＧＶが供給され、同様の動作を繰り返す。
【００３３】
したがって、１フィールド期間の表示の様子は、図２に示した如く、１行目のラインについては各画素に、＋−＋−、・・・の順番で交互に逆極性のビデオ信号が印加されていき、２行目のラインでは、−＋−＋の順番で交互に逆極性のビデオ信号が印加されていき、３行目のラインについては各画素に、＋−＋−、・・・の順番で交互に逆極性のビデオ信号が印加されていき、これが繰り返されることで、ドット反転駆動が行われる。
【００３４】
図７は、本実施形態にかかる表示装置の駆動方法を示す信号波形図であり、第１の補助容量ライン８ａの電位ＳＣａと、第２の補助容量ライン８ｂの電位ＳＣｂの極性が反転する前後の第１の画素ＧＳ１と第２の画素ＧＳ２の画素電位Ｖｐの変化の様子を示している。ここでは、ゲート信号ＧＶ１がロウレベルに立ち下がった後に、第１の補助容量ライン８ａの電位ＳＣａが３．１５Ｖから０Ｖに反転し、第２の補助容量ライン８ｂの電位ＳＣｂが０Ｖから３．１５Ｖに反転する場合を示している。
【００３５】
この電圧変化ΔＶｓｃに伴って前述の容量結合により、第１の画素ＧＳ１の画素電圧Ｖｐは一定の対向電極電位Ｖｃｏｍに対して負電位方向に変化し、第２の画素ＧＳ２の画素電位Ｖｐは一定の対向電極電位Ｖｃｏｍに対して正電位方向に変化する。
【００３６】
このようにして、本実施形態によればドット反転駆動を行うことで表示品位を向上することができる。しかも、ビデオ信号を単相の信号でなく、２相の第１及び第２のビデオ信号電圧Ｖ，＊Ｖとしたので、図８に示す如く、その反転周期を１水平期間（１Ｈ期間）とすることができ、駆動ＬＳＩ２０側の負荷を軽減して低消費電力化を実現している。これ対して、ビデオ信号を単相の信号とした場合には図９に示す如く、ドット反転駆動を可能にするためには、各画素毎（各ドット毎）に１水平期間内にビデオ信号を高速に反転しなければならず、駆動ＬＳＩ２０側の消費電力が増加してしまう。
【００３７】
また、本実施形態によれば、第１及び第２のビデオ信号電圧Ｖ，＊Ｖの複合信号のダイナミックレンジを図７に示す如く、第１及び第２のビデオ信号電圧Ｖ，＊Ｖのそれぞれのダイナミックレンジと等しくした（例えば、約２．５Ｖ）ので、これによっても駆動ＬＳＩ２０側の消費電力を低減できる。なお、これに限らず、第１及び第２のビデオ信号電圧Ｖ，＊Ｖの複合信号のダイナミックレンジを、第１及び第２のビデオ信号電圧Ｖ，＊Ｖのそれぞれのダイナミックレンジの和より小さくすれば、消費電力の低減効果がある。
【００３８】
なお、本実施形態では２相の第１及び第２のビデオ信号電圧Ｖ，＊Ｖを表示パネル１に供給しているが、２相に限らず、４相、６相、８相等の偶数相のビデオ信号電圧を駆動ＬＳＩ２０側で生成して表示パネル１に供給してもよい。例えば、４相のビデオ信号を生成する場合には、第１及び第３のビデオ信号電圧Ｖ１，Ｖ３を同極性の信号とし、第２及び第４のビデオ信号電圧Ｖ２，Ｖ４をこれらと逆の極性の信号とする。そして、各画素に第１乃至第４のビデオ信号Ｖ１，Ｖ２，Ｖ３，Ｖ４をこの順番に供給することで同様に低消費電力のドット反転駆動を行うことができる。
【００３９】
次に、本発明の第２の実施形態にかかるアクティブマトリクス型表示装置について図面を参照しながら説明する。図１０は、このアクティブマトリクス型表示装置のブロック回路図であり、図１１は、このアクティブマトリクス型表示装置における表示パネルの画素領域の模式図である。
【００４０】
第１の実施形態は、白黒表示のアクティブマトリクス型表示装置に関するものであるが、本発明は本実施形態のような複数色を表示できるアクティブマトリクス型表示装置にも同様に適用できるものである。
【００４１】
このアクティブマトリクス型表示装置では、ＲＧＢ三原色のビデオ信号が駆動用ＬＳＩ４０に供給される。そして、駆動用ＬＳＩ４０内には、ＲＧＢの三原色のビデオ信号のそれぞれに対応して、極性切換スイッチ４１，４２，４３と、これらのそれぞれの出力を増幅する一対の出力バッファを設ける。
【００４２】
これにより、Ｒ色（赤色）については、ビデオ信号電圧ＳＲとその逆極性の＊ＳＲが得られ、Ｇ色（緑色）については、ビデオ信号電圧ＳＧとその逆極性の＊ＳＧが得られ、Ｂ色（青色）については、ビデオ信号電圧ＳＢとその逆極性の＊ＳＢが得られる。すなわち一色のビデオ信号毎に、対向電極電位Ｖｃｏｍを基準として、極性が反転された２相のビデオ信号が生成される。
【００４３】
そして、これらのビデオ信号電圧は６本の信号配線を通して、表示パネル５１のドレインドライバ３２に供給される。図１０に示すように、表示パネル５１の表示領域３４にはＲＧＢの順番でＲＧＢ三原色に対応した画素が配置されている。そして、ドレインドライバ３２は、隣接するＲ色の画素に対して互いに逆極性のビデオ信号電圧ＳＲ，＊ＳＲを順次に印加していく。同様に、ドレインドライバ３２は、隣接するＧ色の画素に対して互いに逆極性のビデオ信号電圧ＳＧ，＊ＳＧを順次に印加し、隣接するＢ色の画素に対して互いに逆極性のビデオ信号電圧ＳＢ，＊ＳＢを順次に印加していく。
【００４４】
これにより、フルカラーのアクティブマトリクス型表示装置において、ドット反転駆動が行われる。また、各色に対応するビデオ信号は、第１の実施形態と全く同様に、その反転周期を１水平期間としているので、駆動ＬＳＩ４０側の負荷を軽減して低消費電力化を実現している。さらに、各色に対応するビデオ信号のダイナミックレンジも第１の実施形態と全く同様に狭く設定されるので、これによっても駆動ＬＳＩ４０側の負荷を軽減して低消費電力化を実現することができる。
【００４５】
このように、第１及び第２の実施形態によれば、ライン反転駆動方式の低消費電力特性とドット反転駆動の高表示品位とを兼ね備えた、高性能のアクティブマトリクス型表示装置を実現できるものである。
【００４６】
なお、上述の第１及び第２の実施形態では、駆動ＬＳＩ２０，４０を表示パネル１の５１の外部に設けたが、駆動ＬＳＩ２０，４０を表示パネル１に内蔵してもよい。また、各画素のスイッチング素子としてはＴＦＴを用いているが、このＴＦＴはポリシリコンＴＦＴでもよいし、アモルファスシリコンＴＦＴでもよい。さらに、スイッチング素子としてＴＦＴには限らずＴＦＤ（thin film diode）を用いることもできる。
【図面の簡単な説明】
【００４７】
【図１】本発明の第１の実施形態にかかるアクティブマトリクス型表示装置の回路ブロック図である。
【図２】本発明の第１の実施形態にかかるアクティブマトリクス型表示装置における表示パネルの画素領域の模式図である。
【図３】本発明の第１の実施形態にかかるアクティブマトリクス型表示装置における表示パネルの表示領域のパターン図である。
【図４】図２に示された表示領域の等価回路図である。
【図５】本発明の第１の実施形態にかかるアクティブマトリクス型表示装置の他の回路ブロック図である。
【図６】本発明の第１の実施形態にかかるアクティブマトリクス型表示装置における表示パネルにおける各信号の関連を示すタイミングチャートである。
【図７】本発明の第１の実施形態にかかるアクティブマトリクス型表示装置の駆動方法を示す信号波形図である。
【図８】本発明の第１の実施形態にかかるアクティブマトリクス型表示装置の駆動方法を示す信号波形図である。
【図９】本発明の第１の実施形態にかかるアクティブマトリクス型表示装置の駆動方法を示す信号波形図である。
【図１０】本発明の第２の実施形態にかかるアクティブマトリクス型表示装置の回路ブロック図である。
【図１１】本発明の第２の実施形態にかかるアクティブマトリクス型表示装置における表示パネルの画素領域の模式図である。
【図１２】従来例にかかるアクティブマトリクス型表示装置の駆動方法を示す信号波形図である。
【符号の説明】
【００４８】
１  表示パネル        ２  ドレインドライバ          ３  ゲートドライバ
４  表示領域          ５  ドレインライン            ６  画素電極
７  ゲートライン    ８ａ  第１の補助容量ライン    ８ｂ  第１の補助容量ライン    ９  ＴＦＴ        １０ａ  第１の補助容量        １０ｂ  第２の補助容量
１１  対向電極        １２  液晶容量              １５ａ  第１の寄生容量    
１５ｂ  第２の寄生容量                              １６  ＳＣドライバ    
２０  駆動ＬＳＩ      ２１  極性切換スイッチ        ２２  第１の出力バッファ    ２３  第２の出力バッファ          ２４  高電位ＳＣＨ発生用の電位発生源    
２５  出力バッファ                ２６  低電位ＳＣＬ発生用の電位発生源    
２７  出力バッファ                ２８  対向電極電位Ｖｃｏｍ発生用の電位発生源  ２９  出力バッファ                ３４  表示領域    
４０  駆動ＬＳＩ                  ４１，４２，４３  極性切換スイッチ
【図１】
2005257929.tif 000003
【図２】
2005257929.tif 000004
【図３】
2005257929.tif 000005
【図４】
2005257929.tif 000006
【図５】
2005257929.tif 000007
【図６】
2005257929.tif 000008
【図７】
2005257929.tif 000009
【図８】
2005257929.tif 000010
【図９】
2005257929.tif 000011
【図１０】
2005257929.tif 000012
【図１１】
2005257929.tif 000013
【図１２】
2005257929.tif 000014